(57)【特許請求の範囲】
【請求項１】
裏面枠の片端縁に、前面枠がヒンジ部材によって開閉自在に蝶着されており、その前面枠に電機部品が設置されているとともに、その電機部品の配線が、裏面枠後方まで延設されている遊技機であって、
前記ヒンジ部材を、中空状の円柱状部と中空状で片面に配線挿通孔が穿設された板状部とからなる上側部材及び下側部材を、夫々逆向きで且つ互いに回動可能に枢着して構成するとともに、前記ヒンジ部材の内部に配線を通して、両配線挿通孔から配線を突出させ、且つ突出した各配線の端縁にコネクタを取り付ける一方、
前記前面枠の裏面及び前記裏面枠の表面に、前記前面枠を閉じた場合に前記ヒンジ部材を収納可能な切欠部を夫々設けるとともに、各切欠部と隣接した部位に配線用孔を穿設し、前記前面枠に設置された電機部品の配線を前記前面枠側の配線用孔から突出させて、前記コネクタによって、前記ヒンジ部材の前面枠側の配線挿通孔から突出した配線と接続する一方、前記裏面枠後方からの配線を前記裏面枠側の配線挿通孔から突出させて、前記コネクタによって、前記ヒンジ部材の裏面枠側の配線挿通孔から突出した配線と接続し、
且つ、前記上側部材及び下側部材の各配線接続側の面を前記前面枠及び前記裏面枠に当接させた状態で前記ヒンジ部材を取り付けたことを特徴とする遊技機。
【発明の詳細な説明】
【０００１】
【発明の属する技術分野】
本発明は、パチンコ機、スロットマシーン等の遊技機に関するものである。
【０００２】
【従来の技術】
遊技機の一種であるパチンコ機の中には、裏面枠の前方に前面枠がヒンジによって開閉可能に蝶着されているとともに、その前面枠の上部に電飾ランプが設置されており、大当たり時等に、その電飾ランプが、裏面枠後方に設置された制御装置の制御によって、点灯、点滅するものがある。また、かかるパチンコ機は、図９に示すように、裏面枠５２表面、および前面枠５３裏面のヒンジ５６，５６による蝶着部位と隣接した部位に、それぞれリード線接続孔５４，５４・・が穿設されており、裏面枠５２後方の制御装置に接続されたリード線５５，５５が、裏面枠５２表面のリード線接続孔５４、前面枠５３裏面のリード線接続孔５４を通って、前面枠５３内まで配線され、前面枠５３内で、コネクタによって、電飾ランプのリード線と接続されている。
【０００３】
【発明が解決しようとする課題】
しかしながら、上記従来のパチンコ機は、裏面枠５２後方の制御装置と電飾ランプとを接続しているリード線５５，５５が外部に露出している構造である上、前面枠５３が広角に開放された場合には、リード線５５，５５が大きく外部に引き出されるため、露出しているリード線５５，５５が、前面枠５３を開いた状態での修理、メンテナンス作業中に引っ張られたり、前面枠５３を閉じる際に前面枠５３と裏面枠５２との間に挟まれたりして、損傷してしまうことがあった。
【０００４】
本発明の目的は、上記従来の遊技機が有する課題を解消し、裏面枠後方の制御装置と前面枠に設置されている電飾ランプ等の電機部品とを接続しているリード線が損傷したりせず、メンテナンスが容易な遊技機を提供することにある。
【０００５】
【課題を解決するための手段】
かかる本発明の内、請求項１に記載された発明の構成は、裏面枠の片端縁に、前面枠がヒンジ部材によって開閉自在に蝶着されており、その前面枠に電機部品が設置されているとともに、その電機部品の配線が、裏面枠後方まで延設されている遊技機であって、前記ヒンジ部材を、中空状の円柱状部と中空状で片面に配線挿通孔が穿設された板状部とからなる上側部材及び下側部材を、夫々逆向きで且つ互いに回動可能に枢着して構成するとともに、前記ヒンジ部材の内部に配線を通して、両配線挿通孔から配線を突出させ、且つ突出した各配線の端縁にコネクタを取り付ける一方、前記前面枠の裏面及び前記裏面枠の表面に、前記前面枠を閉じた場合に前記ヒンジ部材を収納可能な切欠部を夫々設けるとともに、各切欠部と隣接した部位に配線用孔を穿設し、前記前面枠に設置された電機部品の配線を前記前面枠側の配線用孔から突出させて、前記コネクタによって、前記ヒンジ部材の前面枠側の配線挿通孔から突出した配線と接続する一方、前記裏面枠後方からの配線を前記裏面枠側の配線挿通孔から突出させて、前記コネクタによって、前記ヒンジ部材の裏面枠側の配線挿通孔から突出した配線と接続し、且つ、前記上側部材及び下側部材の各配線接続側の面を前記前面枠及び前記裏面枠に当接させた状態で前記ヒンジ部材を取り付けたことにある。
【０００７】
【発明の実施の形態】
以下、本発明の遊技機の一実施形態であるパチンコ機を図面に基いて詳細に説明する。
【０００８】
［実施例１］
図１は、パチンコ機の斜視図であり、図２は、前面枠を開放した状態のパチンコ機の斜視図である。パチンコ機１ａの裏面枠２ａの左側の端縁には、幅広な長方形状の前面枠３ａが、２つのヒンジ４ａ，４ａによって開閉自在に蝶着されている。前面枠３ａは、透明なガラス板が嵌め込まれた形状を有しており、表面の上部には、複数のランプが合成樹脂製のカバー部材によって覆われた形状の電飾ランプ５が設置されている。なお、パチンコ機１ａは、図３に示すように、裏面枠２ａが機枠３１ａの端縁に蝶着されており、前面枠３ａと裏面枠２ａとを一緒に開放できるようになっている。
【０００９】
また、前面枠３ａを蝶着している上下２つのヒンジ４ａ，４ａの内側には、被覆部材６，６が設けられている。図４ａ、図４ｂは、それぞれ、前面枠３ａを開放した状態、前面枠３ａを閉じた状態における被覆部材６の設置部位の断面を示したものである。各被覆部材６は、円弧状に折れ曲がった中空筒状の内カバー７と、略同一形状で一回り大きく形成された外カバー８とによって形成されており、内カバー７、および外カバー８ともに、弾性を有する合成樹脂によって形成されている。また、内カバー７先端の外周には、外向き鍔部９が設けられており、外カバー８先端の内周には、内向き鍔部１０が設けられている。さらに、内カバー７および外カバー８の基端の外周には、それぞれ、外向きの係止フランジ１１，１１が設けられている。
【００１０】
かかる被覆部材６は、内カバー７の先端および外カバー８の先端が、それぞれ、前面枠３ａの裏面に穿設された外カバー挿通孔１３、裏面枠２ａの表面に穿設された内カバー挿通孔１２に挿通された状態で、内カバー７が外カバー８内に向かい合わせに収納された状態になっている。被覆部材６はかかる構造を有しているため、前面枠３ａが所定の角度まで開かれた場合には、内カバー７、および外カバー８基端の係止フランジ１１，１１が、それぞれ、裏面枠２ａの内カバー挿通孔１２際、前面枠３ａの外カバー挿通孔１３際に係止されるとともに、内カバー７先端の外向き鍔部９が、外カバー８先端の内向き鍔部１０に係止され、前面枠３ａを、その所定の角度以上に開かせないようになっている（図４ａ参照）。
【００１１】
また、パチンコ機１ａには、裏面枠２ａ後方にパチンコ機１ａの作動を制御する制御装置が設置されている。制御装置に接続されたリード線１４，１４は、内カバー挿通孔１２を通り、各被覆部材６，６の内カバー７および外カバー８の内部を通り、前面枠３ａ内まで配線されている。一方、前面枠３ａの表面上部の電飾ランプ５に接続されたリード線１５，１５は、前面枠３ａ内を通って、前面枠３ａの蝶着部位と隣接した各被覆部材６，６付近まで配線されている。そして、前面枠３ａ内まで配線された制御装置のリード線１４，１４の先端、および各被覆部材６，６付近まで配線された電飾ランプ５のリード線１５，１５の先端には、それぞれ、コネクタ１６，１６・・が取り付けられ、それらのコネクタ１６，１６・・同士が接続された状態になっており、前面枠３ａ上部の電飾ランプ５が、前面枠３ａの開閉状態の如何に拘らず、制御装置の制御によって点灯、点滅するようになっている。
【００１２】
パチンコ機１ａは、上記の如く構成されているため、前面枠３ａを開閉しても、電飾ランプ５と制御装置とを接続した配線（リード線１４およびリード線１５）が決して露出したりしないので、前面枠３ａを開放した状態での修理、メンテナンス作業中に配線が引っ張られたり、前面枠３ａを閉じる際に前面枠３ａと裏面枠２ａとの間に配線が挟まれたりしない。また、前面枠３ａの開閉の際に配線が捩じれたりしないので、配線が疲労により断裂することもない。なお、各被覆部材６，６は、内カバー７の先端、および外カバー８の先端を、それぞれ、前面枠３ａの裏面に穿設された内カバー挿通孔１２、裏面枠２ａの表面に穿設された外カバー挿通孔１３に挿通し、その状態で、内カバー７を外カバー８と向かい合わせになるように外カバー８内に挿入するだけで、簡単に設置することができる。
【００１３】
［実施例２］
図５は、前面枠を開放した状態における実施例２のパチンコ機を示したものであり、実施例２のパチンコ機１ｂも、実施例１のパチンコ機１ａと同様に、ガラス板が嵌め込まれた幅広な長方形状の前面枠３ｂが、２つのヒンジ４ｂ，４ｂによって、裏面枠２ｂの左側の端縁に開閉自在に蝶着され、その前面枠３ｂの表面の上部に、実施例１のパチンコ機１ａの電飾ランプ５ａと同一形状の電飾ランプ（図示せず）が設置された構造になっている。また、実施例１のパチンコ機１ａと同様に、裏面枠２ｂ後方にパチンコ機１ｂの作動を制御する制御装置が設置されている。しかしながら、実施例２のパチンコ機１ｂは、実施例１のパチンコ機１ａと異なり、２つのヒンジ４ｂ，４ｂが被覆部材としても機能するようになっている。
【００１４】
図６は、パチンコ機１ｂに設置されたヒンジ４ｂの裏面を拡大して示したものである。また、図７は、ヒンジ４ｂを一部切り欠いて示したものであり、図８は、ヒンジ４ｂを取り外した状態のヒンジ設置部位を示したものである。パチンコ機１ｂに設置された各ヒンジ４ｂは、略同一形状の上側部材１７と下側部材１８とが、逆向きに、かつ互いに回動可能に枢着された構造を有している。
【００１５】
上側部材１７、および下側部材１８は、ともに中空状に形成され、それぞれの円柱状部１９，１９および板状部２０，２０の内部が連通した状態になっており、リード線２１が配線されている。また、上側部材１７、下側部材１８の各板状部２０，２０の裏面には、リード線挿通孔２２，２２が穿設されており、上側部材１７、および下側部材１８の内部に配線されたリード線２１が、各リード線挿通孔２２，２２から突出した状態になっている。そして、それらの突出したリード線２１の両端には、それぞれ、コネクタ２３，２３が取り付けられている。さらに、上側部材１７、下側部材１８の各板状部２０，２０には、それぞれ２つのネジ挿通孔２４，２４が穿設されている。
【００１６】
また、パチンコ機１ｂの前面枠３ｂの裏面、および裏面枠２ｂの表面の各ヒンジ設置部位には、前面枠３ｂを閉じた場合にヒンジ４ｂが収納されるように、切欠部２５，２５が設けられており、各切欠部２５，２５と隣接した部位には、それぞれ、ネジ孔２６，２６およびリード線用孔２７，２７が穿設されている。そして、前面枠３ｂ裏面の切欠部２５と隣接したリード線用孔２７からは、電飾ランプに接続されたリード線２８が突出し、その突出したリード線２８の先端にコネクタ３０が接続された状態になっており、裏面枠２ｂ表面の切欠部２５と隣接したリード線用孔２７からは制御装置に接続されたリード線２９が突出し、その突出したリード線２９の先端にもコネクタ３０が接続された状態になっている。
【００１７】
各ヒンジ４ｂ，４ｂは、前面枠３ｂ裏面および裏面枠２ｂ表面の切欠部２５，２５に嵌め込まれた状態で、それぞれの板状部２０，２０が裏面枠２ｂおよび前面枠３ｂに螺着されている。これにより、前面枠３ｂが、裏面枠２ｂの左側の端縁に開閉可能に蝶着された状態になっている。また、各ヒンジ設置部位において、前面枠３ｂ裏面のリード線用孔２７から突出したリード線２８の先端のコネクタ３０と、下側部材１８のリード線挿通孔２２から突出したリード線２１の先端のコネクタ２３とが接続され、裏面枠２ｂ表面のリード線用孔２７から突出したリード線２９の先端のコネクタ３０と、上側部材１７のリード線挿通孔２２から突出したリード線２１の先端のコネクタ２３とが接続された状態になっており、前面枠３ｂ上部の電飾ランプが、前面枠３ｂの開閉状態の如何に拘らず、制御装置の制御によって点灯、点滅するようになっている。なお、各ヒンジ４ｂ，４ｂの設置時に、前面枠３ｂ裏面から突出したリード線２８は、下側部材１８から突出したリード線２１と接続された後に、前面枠３ｂ内に収納され、一方、裏面枠２ｂ表面から突出したリード線２９は、上側部材１７から突出したリード線２１と接続された後に、裏面枠２ｂ後方に収納されるため、各ヒンジ４ｂ，４ｂの各板状部２０，２０は、裏面が前面枠３ｂ裏面および裏面枠２ｂ表面と当接した状態になっている。
【００１８】
実施例２のパチンコ機１ｂは、上記の如く構成されているため、前面枠３ｂを広角に開放した場合でも、電飾ランプと制御装置とを接続した配線（リード線２１等）が各ヒンジ４ｂ，４ｂの内部に収納保持され、大きく引き出されたりしないので、前面枠３ｂを開放した状態での修理、メンテナンス作業中に配線が引っ張られたり、前面枠３ｂを閉じる際に前面枠３ｂと裏面枠２ｂとの間に配線が挟まれたりしない。また、パチンコ機１ｂは、ヒンジ４ｂ，４ｂが被覆部材としても作用するため、被覆部材を別途設ける必要がなく、従来品と部品点数が変わらないし、前面枠３ｂの蝶着部位のデザインもシンプルである。なお、各ヒンジ４ｂ，４ｂは、上側部材１７、下側部材１８の板状部２０，２０を裏面枠２ｂおよび前面枠３ｂに螺着するとともに、前面枠３ｂ裏面から突出したリード線２８先端のコネクタ３０と下側部材１８から突出したリード線２１先端のコネクタ２３とを接続し、裏面枠２ｂ表面から突出したリード線２９先端のコネクタ３０と上側部材１７から突出したリード線２１先端のコネクタ２３とを接続するだけで、簡単に設置することができる。また、ヒンジ４ｂは、従来のパチンコ機のヒンジの代替え品として使用することも可能である。
【００１９】
なお、本発明の遊技機の構成は、上記実施例の態様に何ら限定されるものではなく、裏面枠、前面枠、機枠、ヒンジ、電飾ランプ、被覆部材、電気配線等の構成を必要に応じて適宜変更することができる。
【００２０】
たとえば、上記実施例においては、前面枠上部の電飾ランプと裏面枠後方の制御装置とが前面枠の蝶着部位近傍で接続された遊技機について説明したが、本発明の遊技機は、かかる構成に限定されるものではなく、前面枠に設置される電機部品を、呼び出しランプ等の電飾ランプ以外の電機部品に変更することも可能であるし、前面枠の電機部品の配線を、裏面枠後方の端子等の制御装置以外の部位まで延設するように構成することも可能である。
【００２１】
また、前面枠の蝶着部位に設置される被覆部材やヒンジの数は、２つに限定されるものではなく、３つ以上であっても良いし、場合によっては、１つであっても良い。
【００２２】
さらに、電飾ランプのリード線と制御装置のリード線とを必ずしもコネクタを介して接続する必要はなく、ダイレクトに接続することも可能である。
【００２３】
一方、実施例１の遊技機においては、被覆部材の内カバーを前面枠側に取り付け、外カバーを裏面枠側に取り付けるように構成することも可能である。
【００２４】
なお、本発明の遊技機は、パチンコ機のみに限定されるものではなく、スロットマシーンやテレビゲーム等の他の遊技機に応用することも可能である。
【００２５】
【発明の効果】
本発明の遊技機によれば、被覆部材によって、前面枠開放状態での修理、メンテナンス作業中に引っ張られたり、前面枠を閉じる際に前面枠と裏面枠との間に挟まれたりして電機部品の配線が損傷する事態を防止することができる。したがって、パチンコ機のメンテナンスが容易なものとなる。また、被覆部材が前面枠を裏面枠に蝶着するヒンジとしても作用するため、被覆部材をヒンジと別々に設けることなく、安価かつ容易に電機部品の配線を保護することが可能となる。
【図面の簡単な説明】
【図１】パチンコ機を示す説明図である。
【図２】前面枠を開放した状態のパチンコ機を示す説明図である。
【図３】裏面枠を前面枠とともに開放した状態のパチンコ機を示す説明図である。
【図４】被覆部材設置部位の断面を示す説明図である。
【図５】前面枠を開放した状態のパチンコ機を示す説明図である。
【図６】ヒンジの裏面を示す説明図である。
【図７】ヒンジを一部切り欠いて示す説明図である。
【図８】前面枠および機枠のヒンジ設置部位を示す説明図である。
【図９】従来のパチンコ機を示す説明図である。
【符号の説明】
１ａ，１ｂ，５１・・パチンコ機、２ａ，２ｂ，５２・・裏面枠、３ａ，３ｂ，５３・・前面枠、４ａ，４ｂ，５６・・ヒンジ、５・・電飾ランプ、６・・被覆部材、７・・内カバー、８・・外カバー、９・・外向き鍔部、１０・・内向き鍔部、１１・・係止フランジ、１２・・内カバー挿通孔、１３・・外カバー挿通孔、１４，１５，２１，２８，２９，５５・・リード線、１６，２３，３０・・コネクタ、１７・・上側部材、１８・・下側部材、１９・・円柱状部、２０・・板状部、２２・・リード線挿通孔、２４・・ネジ挿通孔、２５・・切欠部、２６・・ネジ孔、２７・・リード線用孔、５４・・リード線接続孔、３１ａ，３１ｂ，５７・・機枠。
【図１】
0003580196.tif 000002
【図２】
0003580196.tif 000003
【図３】
0003580196.tif 000004
【図４】
0003580196.tif 000005
【図５】
0003580196.tif 000006
【図６】
0003580196.tif 000007
【図７】
0003580196.tif 000008
【図８】
0003580196.tif 000009
【図９】
0003580196.tif 000010